(57)【特許請求の範囲】
【請求項１】
元止め式温水器と、前記元止め式温水器の吐水口と水栓とを接続する配管の中途に設けられたチーズ継手と、排水管に接続された排水ホッパーとを備え、前記チーズ継ぎ手から分岐した連結管が前記排水ホッパーに接続された元止め式温水器システムにおいて、
前記チーズ継手は、前記配管内を流れる水の流速が遅い場合に前記連結管へ導水し、流速が早い場合は前記連結管に水を流出させることなく前記水栓側の流路へ導水するアスピレータであることを特徴とする元止め式温水器システム。
【発明の詳細な説明】
【０００１】
【発明の属する技術分野】
本発明は、元止め式温水器からの膨張水を排出する方法に関するものである。
【０００２】
【従来の技術】
従来、温水器で沸かし上げた温水は給湯配管を通じて供給され、水栓から吐水させるといったことが広く行われている。この場合、水栓から温水を吐水させた際に配管内に貯まる温水は、配管内から抜けない構造となっている。
【０００３】
図３は、元止め式温水器の設置例を示す。図３において、１００は洗面器１０１付近に設置された元止め式電気温水器で、内部には電気ヒータ１０２が備えられており、その電気ヒータ１０２の加熱により水を温水化するようになっている。１０３は温水の吐水部としての水栓であり、水栓１０３に備えられたセンサー１０４に手をかざすと、センサー線１０５を通じて元止め式電気温水器内部のコントローラ１０６へ信号が送られ、コントローラ１０６より電磁弁１０７に信号が送られて電磁弁１０７の弁が開く。電磁弁１０７の弁が開くことにより、給水源からの水は給水管１０８を通じ元止め式電気温水器１００内に内蔵されたタンク１０９に給水され、タンク１０９内に貯湯された温水が給湯管１１０を通じて水栓１０３へと供給されて洗面器１０１内に吐水され、排水管１１１に排水される。
【０００４】
ところで、このように元止め式電気温水器１００で予め水を温水化しておこうとした場合、元止め式電気温水器１００で膨張水が発生する。従って、その膨張水を何らかの手段で元止め式電気温水器１００の外へと逃してやる必要がある。図３に示す元止め式電気温水器１００からの温水供給方式の場合、水栓１０３を閉塞できない構造にしておいて、電気温水器１００からの膨張水を給湯管１１０を通じて水栓１０３へと導き外部へと逃すようにしていた。
【０００５】
図４は、先止め式温水器の設置例を示す。図４において、２００は洗面器２０１付近に設置された先止め式電気温水器で、内部には電気ヒータ２０２が備えられており、その電気ヒータ２０２の加熱により水を温水化するようになっている。２０３は温水の吐水部としての水栓であり、水栓２０３を開くと、給水源からの水は給水管２０４に設けられた減圧弁２０５にて設定圧力に減圧され、電気温水器２００内に内蔵されたタンク２０６に給水され、タンク２０６内に貯湯された温水が給湯管２０７を通じて水栓２０３へと供給されて洗面器２０１内に吐水され、排水管２０８に排水される。
【０００６】
ところで、このように先止め式電気温水器２００で予め水を温水化しておこうとした場合、図３の元止め式電気温水器１００の場合と同様、膨張水が発生する。従って、その膨張水を何らかの手段で先止め式電気温水器２００の外へと逃してやる必要がある。図４に示す先止め式電気温水器２００からの温水供給方式の場合、ある設定圧力にて開弁する逃し弁２１１を給湯管２０７に設ける。膨張水発生の際、給湯管２０７内の圧力が上昇するが、その圧力が逃し弁２０８の設定圧力を超えた場合、逃し弁２０８が開弁し、膨張水を逃し弁２０８より排出させる。逃し弁２０８より排出された膨張水は、配管２０９を通って排水ホッパー２１０へと至り、さらに排水ホッパー２１０下流側に接続された排水管２０８へと導びかれ外部へと逃す構造になっている。なお、排水ホッパー２１０は、排水管２０８からの汚臭を防止する排水トラップや、排水管２０８からの汚水の逆流を防止する逆流防止弁を備えている。
【０００７】
【発明が解決しようとする課題】
しかしながら、図３に示した元止め式電気温水器においては、元止め式電気温水器からの膨張水を水栓から外部に逃すようにしているが、この場合、水栓から吐水させていないのに膨張水が水栓から滴り落ちることになり、使用者に見苦しい感じを与えてしまうと同時に、水栓の止水不良との誤解を生じさせる恐れがあった。
【０００８】
本発明は、上記課題を解決するためになされたもので、本発明の目的は、元止め式温水器からの膨張水が水栓から滴り落ちることがない元止め温水器を提供することにある。
【０００９】
【課題を解決するための手段およびその作用・効果】
上記目的を達成するために請求項１は、元止め式温水器と、前記元止め式温水器の吐水口と水栓とを接続する配管の中途に設けられたチーズ継手と、排水管に接続された排水ホッパーとを備え、前記チーズ継ぎ手から分岐した連結管が前記排水ホッパーに接続された元止め式温水器システムにおいて、前記チーズ継手は、前記配管内を流れる水の流速が遅い場合に前記連結管へ導水し、流速が早い場合は前記連結管に水を流出させることなく前記水栓側の流路へ導水するアスピレータである。よって、膨張水が水栓から滴り落ちることがなく、使用者に見苦しい感じを与えたり、水栓の止水不良との誤解を生じさせたりすることがない。
【００１０】
また、温水器からの膨張水のようにアスピレータ内の流速が遅い場合は重力の作用により排水ホッパー側の流路へ導水し、一般的な水栓からの吐水時のようにアスピレータ内の流速が早い場合はアスピレータの作用により排水ホッパー側への流路に水を流出させることなく水栓側の流路へ導水することができる。
【００１１】
また、給湯管内部の温水を、重力の作用で連結管へ導くように構成すれば、給湯管内部を空の状態にすることができるので、温水の吐水停止後、時間が経ってから吐水させてもすぐに温水器からのお湯が出る。このため、最初に給湯管内部の冷たい水が出て使用者に不快感を与えることもない。
【００１２】
【発明の実施の形態】
以下、本発明の実施の形態を、図面により詳細に説明する。
【００１３】
図１は、本発明の一実施形態に係る元止め式温水器の膨張水排出方法を示す図である。図１において、１０は電気温水器であって内部に電気ヒータ１１が備えられており、電気温水器１０内に導かれた水が電気ヒータ１１の加熱作用で温水化され且つ保温されるようになっている。１２は自動水栓で、電気温水器１０内に貯められた温水は自動水栓１２より吐水されるようになっている。１３は給水源からの水を電気温水器１０へと供給するための給水管で、電気温水器１０に内蔵のタンク１４底部に接続されている。また給水管１３には、流路を開閉する電磁弁１５が設けられている。一方、タンク１４の上部からは温水を取り出すための出湯管１６が延び出しており、出湯管１６は電気温水器１０の外装板に備えられた吐水口１７を介し電気温水器１０の外部へ導かれる。
【００１４】
吐水口１７には、チーズ継手であるアスピレータ１９が自動水栓１２の吐水部より低くなる位置に接続されており、アスピレータ１９と自動水栓１２とは、給湯管２５にて接続されている。また、アスピレータ１９からは連結管１８が分岐し、連結管１８は、自動水栓１２より低い位置に設置された排水ホッパー２６に接続され、排水ホッパー２６は洗面器２０に付随する排水管２１に接続されている。
【００１５】
アスピレータ１９は、アスピレータ１９内を流れる温水又は水の流速に応じて流路を可変する作用をなすものである。すなわち、電気温水器１０からの膨張水のようにアスピレータ１９内の流速が遅い場合は、重力の作用により連結管１８を経由し排水ホッパー２６側の流路へ導水され、排水管２１へと排水される。一方、一般的な吐水時のようにアスピレータ１９内の流速が早い場合は、エジェクター効果により連結管１８へは流れ込まず、給湯管２５を通じ自動水栓１２へと導水される。
【００１６】
自動水栓１２の吐水部に備えられたセンサー２２に手をかざすと、センサー線２３を通じて電気温水器１０内部のコントローラ２４へ信号が送られ、コントローラ２４より電磁弁１５に信号が送られて電磁弁１５の弁が開く。電磁弁１５の弁が開くことにより、給水源からの水は給水管１３を通じタンク１４に給水され、自動水栓１２より温水が吐水される。手洗い終了によってセンサー２２が手を感知しなくなると電磁弁１５が閉鎖され、自動水栓１２からの吐水が停止する。
【００１７】
本実施例によれば、電気温水器１０で膨張水が生じたとき、その膨張水を自動水栓１２の吐水部より低い位置に設けたアスピレータ１９から、連結管１８および排水ホッパー２６を通じて排水管２１へと逃すことができる。このため、膨張水が水栓から滴り落ちることがなく、使用者に見苦しい感じを与えたり、水栓の止水不良との誤解を生じさせることがない。
【００１８】
また本実施例では、アスピレータ１９と排水ホッパー２６を自動水栓１２の吐水部より低い位置に設けたので、給湯管２５内の温水は、重力の作用で連結管１８へ流れ込んで排水ホッパー２６を通じ排水管２１へと排水されるため、給湯管２５の内部は空の状態となる。このため、温水の吐水停止後、時間が経ってから自動水栓１２から吐水させてもすぐに電気温水器１０からのお湯が出るので、最初に給湯管内部の冷たい水が出て使用者に不快感を与えることもない。
【００１９】
図２は、図１の変形例で、図１におけるアスピレータ１９を三方弁２７に置き換えたものである。チーズ継手である三方弁２７は、自動水栓１２から吐水させるときは連結管１８への流路を閉塞して出湯管２５への流路を開放し、吐水させないときは連結管１８への流路を開放して給湯管２５への流路を閉塞するように構成されている。なお、三方弁２７および排水ホッパー２６は、図１の実施例同様、自動水栓１２の吐水部より低い位置に設置されている。
【００２０】
本実施例によれば、自動水栓１２から吐水させていない場合に電気温水器１０で膨張水が生じたとき、その膨張水を三方弁２７から、連結管１８および排水ホッパー２６を通じて排水管２１へと逃すことができる。このため、膨張水が水栓から滴り落ちることがなく、使用者に見苦しい感じを与えたり、水栓の止水不良との誤解を生じさせることがない。
【００２１】
また本実施例で、自動水栓１２からの吐水終了後、給湯管２５への流路を閉塞するタイミング遅らせるように三方弁２７を制御するようにすれば、三方弁２７と排水ホッパー２６は自動水栓１２の吐水部より低い位置に設けていることから、給湯管２５内の温水は、重力の作用で連結管１８へ流れ込んで排水ホッパー２６を通じ排水管２１へと排水されるため、給湯管２５の内部は空の状態となる。このため、温水の吐水停止後、時間が経ってから自動水栓１２から吐水させてもすぐに電気温水器１０からのお湯が出るので、最初に給湯管内部の冷たい水が出て使用者に不快感を与えることもない。
【００２２】
さらに図２の三方弁２７を、弁内部を通る水の温度で流路を切替える機構を備えるものとすれば、出湯は自動水栓１２側へ、膨張水は排水ホッパー２６側へ流路を切替えるようにすることもできる。
【００２３】
以上、本発明の実施例を詳述したが、これはあくまで一例示である。例えば上記実施例では電気温水器１０からの温水を自動水栓１２から吐水させる場合に適用しているが、他の形態の水栓から温水を吐水する場合でも、本発明は適用可能である。
【図面の簡単な説明】
【図１】  本発明の一実施形態に係る元止め式温水器の膨張水排出方法を示す図
【図２】  図１の変形例を示す図
【図３】  従来の元止め式温水器の設置例を示す図
【図４】  従来の先止め式温水器の設置例を示す図
【符号の説明】
１０…電気温水器
１１、１０２、２０２…電気ヒータ
１２…自動水栓
１３、１０８、２０４…給水管
１４、１０９、２０６…タンク
１５、１０７…電磁弁
１６…出湯管
１７…吐水口
１８…連結管
１９…アスピレータ
２０、１０１、２０１…洗面器
２１、１１１、２０８…排水管
２２、１０４…センサー
２３、１０５…センサー線
２４、１０６…コントローラ
２５、１１０、２０７…給湯管
２６、２１０…排水ホッパー
２７…三方弁
１００…元止め式電気温水器
１０３、２０３…水栓
２００…先止め式電気温水器
２０５…減圧弁
２０９…配管
２１１…逃し弁
【図１】
0003838066.tif 000002
【図２】
0003838066.tif 000003
【図３】
0003838066.tif 000004
【図４】
0003838066.tif 000005